(57)【要約】【課題】本考案は、内装した長尺スイッチの両端部の不感知部によるスイッチ動作の制約を削減し感知部の範囲の拡張を図った簡略構造のエッジスイッチを提供する。【解決手段】本考案に係るエッジスイッチ１は、内部上側に長尺スイッチ２０を収納する長穴状の収納空間２を有し、下端部に一対の係合脚部３ａを具備する収納基体部４と、この収納基体部４により支持したスイッチ用テーブル部６及びアクチェータ板７とを有する被覆体８と、被覆体８の下側に接合配置した保持体１０と、を具備する長尺の外装体１１と、この外装体１１に内装した短い感知部２１と、この感知部２１の両端に設けた加重Ｆに対する不感知部を形成する端部封止体２２とを具備する電極板構造の長尺スイッチ２０と、を有し、外装体１１における収納基体部４の両端部内の領域に、端部封止体２２撓み用の端部空間２ａを設けたものである。【選択図】図２
0003128637.tif 000002
【実用新案登録請求の範囲】
【請求項１】
長尺の外装体と、
この外装体に内装した前記外装体の長さよりも短い感知部と、この感知部の両端に設けた加重に対する不感知部を形成する端部封止体とを具備する長尺スイッチと、
を有するエッジスイッチであって、
前記外装体の両端部内の領域に、前記不感知部に対する加重作用下で前記端部封止体が撓み、前記長尺スイッチの感知部に撓み力を伝達してオンさせるための端部空間を有することを特徴とするエッジスイッチ。
【請求項２】
中空の略直方体状に形成され、内部上側に長尺スイッチを収納する長穴状の収納空間を有し、下端部に、長さ方向に沿った受溝を設けた一対の係合脚部を具備する収納基体部と、この収納基体部により支持したスイッチ用テーブル部及びこのスイッチ用テーブル部上に配置した長方形板状のアクチェータ板とを有する被覆体と、被覆体の下側に全長に渡って接合配置した略直方体状の保持体と、を具備する長尺の外装体と、
この外装体に内装した前記外装体の長さよりも短い感知部と、この感知部の両端に設けた加重に対する不感知部を形成する端部封止体とを具備する電極板構造の長尺スイッチと、
を有するエッジスイッチであって、
前記外装体における収納基体部の両端部内の領域に、前記スイッチ用テーブル部の両端を無くすことにより形成され、前記不感知部に対する加重作用下で前記端部封止体が撓み、前記長尺スイッチの感知部の端部に撓み力を伝達してアクチェータ板の端部と当接させることで感知部の端部をオンさせるための端部封止体用の端部空間を有することを特徴とするエッジスイッチ。
【請求項３】
中空の略直方体状に形成され、内部上側に長尺スイッチを収納する長穴状の収納空間を有し、下端部に幅方向に向け、かつ、長さ方向に沿って対称配置に突設され、長さ方向に沿った受溝を設けた一対の係合脚部を具備する収納基体部と、この収納基体部と一体形成した前記収納空間内に向けて斜め上方に突設した一対の支持脚により水平配置に支持した上面が平坦なスイッチ用テーブル部及びこのスイッチ用テーブル部上に配置した前記長尺スイッチの感知部の頂部と当接させる長方形板状のアクチェータ板と、を有する被覆体と、この被覆体の下側において前記一対の係合脚部の受溝に対して対称形状の係合突片を各々係合させることで前記被覆体に全長に渡って密接する状態で接合配置した略直方体状の保持体と、を具備する弾性部材からなる長尺の外装体と、
この外装体に内装した前記外装体の長さよりも短い感知部と、この感知部の両端に設けた加重に対する不感知部を形成する端部封止体とを具備する電極板構造の長尺スイッチと、
を有するエッジスイッチであって、
前記外装体における収納基体部の両端部内の領域に、前記一対の支持脚及びスイッチ用テーブル部の両端を数十ｍｍ分無くすことにより形成され、前記不感知部に対する加重作用下で前記端部封止体が撓み、前記長尺スイッチの感知部の端部に撓み力を伝達してアクチェータ板の端部と当接させることで感知部の端部をオンさせるための端部封止体用の端部空間を有することを特徴とするエッジスイッチ。
【考案の詳細な説明】
【技術分野】
【０００１】
本考案は、エッジスイッチに関し、詳しくは、加重に対する感知部領域を簡略構造にて不感知部領域まで拡張したエッジスイッチに関するものである。
【背景技術】
【０００２】
従来、長尺の上部電極、下部電極を中間枠部材を挟んで上下対向配置するとともに、これらの外周を、弾性を有する外被で多い、外被を介して上部電極のいずれかの部分に外力が作用したとき上部電極を撓ませて下部電極に接触させることによりスイッチ動作を行わせるようにした長尺スイッチ、更には、この長尺スイッチを用いたエッジスイッチが種々提案されている。
【０００３】
このような長尺スイッチの両端から数十ｍｍの範囲は、上部電極、下部電極間に中間枠部材を介在させる構造のために、端部に対して各々外力が働いてもスイッチ動作を実行させることができない不感知部となっていた。このような不感知部の存在は、いかなる原理の長尺スイッチにおいても回避することは困難であった。
【０００４】
このため、従来の電極板方式の長尺スイッチを内装したエッジスイッチおいても、内装した長尺スイッチの両端部に存在する不感知部のため、機能上の制約を余儀なくされていた。また、光方式のエッジスイッチの場合、両端部に投受光部を設ける必要があることから、やはり両端部が不感知部となることを回避することは容易ではない。
【０００５】
図６、図７は、従来のエッジスイッチ３１の概略構成を示すものであり、このエッジスイッチ３１は、例えば弾性ゴム材等からなる外装体１１内に、長尺スイッチ２０を内装し、外装体１１の外部から加重（外力）Ｆが作用した場合に前記長尺スイッチ２０をオンさせるように構成している。
【０００６】
すなわち、図６、図７に示す従来のエッジスイッチ３１は、中空の略直方体状に形成され、内部上側に公知の長尺スイッチ２０を収納する長穴状の収納空間２を長さ方向に設けてこの収納空間２内に長尺スイッチ２０を長さ方向に沿って内装するとともに、その下端部において幅方向に向け、かつ、長さ方向に沿って対称配置に突設され、長さ方向に沿った受溝４ａ、４ａを設けた一対の係合脚部３ａ、３ａを具備する収納基体部４と、この収納基体部４と一体形成した前記収納空間２内に向けて斜め上方に突設した一対の支持脚５ａ、５ａにより水平配置に支持した上面が平坦なスイッチ用テーブル部６及びこのスイッチ用テーブル部６上に配置した前記長尺スイッチ２０の頂部と当接させる長方形板状のアクチェータ板７と、を有する被覆体８と、この被覆体８の下側において前記一対の係合脚部３ａ、３ａの受溝４ａ、４ａに対して対称形状の係合突片９ａ、９ａを各々係合させることで前記被覆体８に全長に渡って密接する状態で接合配置した略直方体状の保持体１０と、からなる外装体１１を有している。
【０００７】
また、前記長尺スイッチ２０の感知部（加重Ｆによりオンする領域）２１及びアクチェータ板７は、エッジスイッチ１の両端まで至らない寸法に設定されている。すなわち、エッジスイッチ１の両端から数十ｍｍ（例えば２０ｍｍ乃至３０ｍｍ）程度の範囲には、各々長尺スイッチ２０の一部を形成する端部封止体２２が前記収納空間２の端部領域を埋めるように配置されている。
【０００８】
しかし、図６、図７に示す従来のエッジスイッチ３１の場合においても、加重Ｆが前記外装体１１における端部封止体２２に対応する領域、すなわち、端部領域作用しても端部封止体２２を押圧するだけで、前記長尺スイッチ２０の感知部２１に加重Ｆによる力を伝達しオン動作させることはできないという問題を包含している。
【０００９】
特許文献１には、上部電極板と下部電極板とを一定の間隔で配置するとともに、これらの外周を絶縁材からなる外皮で覆った長尺スイッチが開示されている。しかし、特許文献１の長尺スイッチの場合も、両端部の不感知部によるスイッチ動作の制約を有している。
【特許文献１】特開２００１−７６５８０号公報
【考案の開示】
【考案が解決しようとする課題】
【００１０】
本考案が解決しようとする問題点は、内装した長尺スイッチの両端部の不感知部によるスイッチ動作の制約を削減し感知部の範囲の拡張を図った簡略構造のエッジスイッチが存在しない点である。
【課題を解決するための手段】
【００１１】
本考案のエッジスイッチは、長尺の外装体と、この外装体に内装した前記外装体の長さよりも短い感知部と感知部の両端に設けた加重に対する不感知部を形成する端部封止体とを具備する長尺スイッチと、を有するエッジスイッチであって、前記外装体の両端部内の領域に、前記不感知部に対する加重作用下で前記端部封止体が撓み、前記長尺スイッチの感知部に撓み力を伝達してオンさせるための端部空間を有することを最も主要な特徴とする。
【考案の効果】
【００１２】
請求項１記載の考案によれば、前記外装体の両端部内の領域に端部空間を設け、不感知部に対する加重作用下で端部封止体が撓み、長尺スイッチの感知部に撓み力を伝達してオンさせるように構成したものであるから、両端部分に不感知部が存在することを余儀なくされるという構造的な制約を、前記部空間を設けるだけという簡略な構成で解消又は低減し、加重の感知領域を不感知部の領域まで実質的に拡張することができ、防犯スイッチ、安全スイッチとして極めて有益な機能を発揮させることが可能なエッジスイッチを提供することができる。
【００１３】
請求項２記載の考案によれば、外装体における収納基体部の両端部内の領域に、スイッチ用テーブル部の両端を無くすことにより形成され、不感知部に対する加重作用下で前記端部封止体が撓み、長尺スイッチの感知部の端部に撓み力を伝達してアクチェータ板の端部と当接させることで感知部の端部をオンさせるための端部封止体用の端部空間を設けたものであるから、請求項１記載の考案の場合と同様、両端部分に不感知部が存在することを余儀なくされるという構造的な制約を、前記部空間を設けるだけという簡略な構成で解消又は低減し、加重の感知領域を不感知部の領域まで実質的に拡張することができ、防犯スイッチ、安全スイッチとして極めて有益な機能を発揮させることが可能なエッジスイッチを提供することができる。
【００１４】
請求項３記載の考案によれば、請求項２記載の考案の場合と略同様に、外装体における収納基体部の両端部内の領域に、前記一対の支持脚及びスイッチ用テーブル部の両端を数十ｍｍ分無くすことにより形成され、前記不感知部に対する加重作用下で前記端部封止体が撓み、前記長尺スイッチの感知部の端部に撓み力を伝達してアクチェータ板の端部と当接させることで感知部の端部をオンさせるための端部封止体用の端部空間を設けたものであるから、請求項１、２記載の考案の場合と同様、両端部分に不感知部が存在することを余儀なくされるという構造的な制約を、前記部空間を設けるだけという簡略な構成で解消又は低減し、加重の感知領域を不感知部の領域まで実質的に拡張することができ、防犯スイッチ、安全スイッチとして極めて有益な機能を発揮させることが可能なエッジスイッチを提供することができる。
【考案を実施するための最良の形態】
【００１５】
本考案は、内装した長尺スイッチの両端部の不感知部によるスイッチ動作の制約を削減し感知部の範囲の拡張を図った簡略構造のエッジスイッチを提供するという目的を、中空の略直方体状に形成され、内部上側に長尺スイッチを収納する長穴状の収納空間を有し、下端部に、長さ方向に沿った受溝を設けた一対の係合脚部を具備する収納基体部と、この収納基体部により支持したスイッチ用テーブル部及びこのスイッチ用テーブル部上に配置した長方形板状のアクチェータ板とを有する被覆体と、被覆体の下側に全長に渡って接合配置した略直方体状の保持体と、を具備する長尺の外装体と、この外装体に内装した前記外装体の長さよりも短い感知部と、この感知部の両端に設けた加重に対する不感知部を形成する端部封止体とを具備する電極板構造の長尺スイッチと、を有するエッジスイッチであって、前記外装体における収納基体部の両端部内の領域に、前記スイッチ用テーブル部の両端を無くすことにより形成され、前記不感知部に対する加重作用下で前記端部封止体が撓み、前記長尺スイッチの感知部の端部に撓み力を伝達してアクチェータ板の端部と当接させることで感知部の端部をオンさせるための端部封止体用の端部空間を有する構成により実現した。
【実施例】
【００１６】
以下に、本考案の実施例に係るエッジスイッチ１について図１乃至図５を参照して詳細に説明する。なお、本実施例に係るエッジスイッチ１において、従来のエッジスイッチ３１と同一の要素には同一の符号を付して以下の説明を行う。
【００１７】
本実施例に係るエッジスイッチ１は、図１、図２、図３に示すように、前記従来例と同様、被覆体８、保持体１０を具備する弾性ゴム材等からなる外装体１１内に長尺スイッチ２０を内装している。
【００１８】
すなわち、前記エッジスイッチ１を構成する外装体１１は、中空の略直方体状に形成され、内部上側に長尺スイッチ２０を収納する長穴状の収納空間２を長さ方向に設けてこの収納空間２内に長尺スイッチ２０を長さ方向に沿って内装するとともに、その下端部において幅方向に向け、かつ、長さ方向に沿って対称配置に突設され、長さ方向に沿った受溝４ａ、４ａを設けた一対の係合脚部３ａ、３ａを具備する収納基体部４と、この収納基体部４と一体形成した前記収納空間２内に向けて斜め上方に突設した一対の支持脚５ａ、５ａにより水平配置に支持した上面が平坦なスイッチ用テーブル部６及びこのスイッチ用テーブル部６上に配置した前記長尺スイッチ２０の頂部と当接させる長方形板状のアクチェータ板７と、を有する被覆体８と、この被覆体８の下側において前記一対の係合脚部３ａ、３ａの受溝４ａ、４ａに対して対称形状の係合突片９ａ、９ａを各々係合させることで前記被覆体８に全長に渡って密接する状態で接合配置した略直方体状の保持体１０と、を具備している。
【００１９】
前記長尺スイッチ２０は、図４に示すように、例えば一対の導体材（例えば銅板等）からなる電極板２３、２４を所定の間隔（例えば数ｍｍ程度）で平行配置するとともに、電極板２３、２４の外周全体を絶縁性を有する弾性ゴム材等からなる外周被覆材２５により被覆して、電極板２３、２４が存在する領域を感知部２１とし、この長尺スイッチ２０の特定の箇所に加重（外力）Ｆが作用したときに前記電極板２３、２４の一方を撓ませて対応する箇所を部分接触させることにより、オン（スイッチオン）信号を得るように構成している。
本実施例に係る長尺スイッチ２０は、更に後述するようにその両端部に各々端部封止体２２、２２を設けている。なお、長尺スイッチ２０用の配線材については図示省略する。
【００２０】
また、前記長尺スイッチ２０の感知部（加重Ｆによりオンする領域）２１及びアクチェータ板７は、エッジスイッチ１の両端まで至らない寸法に設定されている。すなわち、エッジスイッチ１の両端から数十ｍｍ（例えば２０ｍｍ乃至３０ｍｍ）程度の範囲には各々長尺スイッチ２０の一部を形成する端部封止体２２が配置されている。
【００２１】
更に、本実施例に係るエッジスイッチ１においては、前記被覆体８における収納基体部４を構成する一対の係合脚部３ａ、３ａ、スイッチ用テーブル６は、エッジスイッチ１の両端までは存在しない寸法に設定されている。
【００２２】
すなわち、エッジスイッチ１の両端から数十ｍｍ（例えば２０ｍｍ乃至３０ｍｍ）程度の範囲においては、各々一対の係合脚部３ａ、３ａ、スイッチ用テーブル６が省略又は切除されており、この省略又は切除した領域に各々前記長尺スイッチ２０における感知部２１の両端部分からそれぞれ外方に突設した弾性ゴム材等からなる塊状の前記端部封止体２２を配置するようになっている。
【００２３】
更に詳述すると、被覆体８内において、長尺スイッチ２０の感知部２１の両端が、エッジスイッチ１の両端から各々数十ｍｍ内方になるように寸法設定されて前記被覆体８内の収納空間２に取り付けられ、また、前記被覆体８における前記一対の係合脚部３ａ、３ａ、スイッチ用テーブル６は、長尺スイッチ２０の感知部２１の両端部及びアクチェータ板７の両端部が各々数ｍｍ程度露出するように寸法設定され、この結果、長尺スイッチ２０の端部における端部封止体２２は、図２に示すように、被覆体８の端部に形成される収納空間２よりも広い端部空間２ａ内において下方に変位可能となっている。
【００２４】
そして、両側の前記端部封止体２２、２２を、前記被覆体８における一対の係合脚部３ａ、３ａ、スイッチ用テーブル６が存在しない端部空間２ａに各々臨ませ、エッジスイッチ１における前記被覆体８のいずれかの端部領域外周に例えば人間の靴等が載ることによる加重（外力）Ｆが作用した場合に、前記端部封止体２２を被覆体８の端部領域を介して端部空間２ａで下方に撓ませ、前記長尺スイッチ２０における対応する感知部２１の端部にその撓み力を伝達して感知部２１の端部も下方に撓ませ、これにより、当該感知部２１の端部を前記アクチェータ板７の端部角に押圧してオン動作（一対の電極板２３、２４の部分接触）させるように構成している。
【００２５】
次に、本実施例に係るエッジスイッチ１の動作について、このエッジスイッチ１の端部領域における前記端部封止体２２によるオン動作を主にして、添付する図５も参照して説明する。
前記エッジスイッチ１を、例えば特定の防犯エリア（各種商店の売場等）の床等に設置した状態で、図５に示すように、エッジスイッチ１の例えば一方の端部領域上に人間（不審者等）の靴等が載ることによる加重（外力）Ｆが作用したものとする。
【００２６】
このとき、前記加重Ｆを受けた被覆体８の端部領域を介して前記端部封止体２２が図５に示すように端部空間２ａ内で下方に撓み、前記長尺スイッチ２０における前記端部領域に対応する感知部２１の端部にも撓み力が伝達されて感知部２１の端部も下方に撓む。
これにより、当該感知部２１の端部領域の一部が前記アクチェータ板７の端部角に押圧接触し、長尺スイッチ２０の一対の電極板２３、２４が部分接触してエッジスイッチ１はオン動作状態になり、特定の防犯エリアにおける異常発生（不審者の侵入等）を検知することができる。前記エッジスイッチ１における被覆体８の中央部等に前記加重Ｆが作用した場合にこのエッジスイッチ１がオン動作状態になることは言うまでもない。
【００２７】
このようにして、本実施例に係るエッジスイッチ１によれば、両端部分に不感知部が存在することを余儀なくされるという構造的な制約を、前記長尺スイッチ２０の両端に端部封止体２２が自由に撓むことが可能な端部空間２ａを設けるだけという簡略な構成で解消又は低減し、加重Ｆの感知領域を不感知部の領域まで実質的に拡張することができ、防犯スイッチ、安全スイッチとして極めて有益な機能を発揮させることができる。
【産業上の利用可能性】
【００２８】
本考案は、上述したエッジスイッチは勿論のこと、長尺スイッチを複数使用するマットスイッチや、各種車両用のバンパースイッチ等にも幅広く適用可能である。
【図面の簡単な説明】
【００２９】
【図１】本考案の実施例に係るエッジスイッチの一部を省略した概略正面図である。
【図２】本実施例に係るエッジスイッチの一部を省略した長さ方向に沿った概略断面図である。
【図３】図２のＡ−Ａ線に対応する断面図である。
【図４】本実施例に係るエッジスイッチを構成する長尺スイッチの概略断面図である。
【図５】本実施例に係るエッジスイッチの加重作用時のオン動作を示す説明図である。
【図６】従来のエッジスイッチの一部を省略した長さ方向に沿った概略断面図である。
【図７】図６のＢ−Ｂ線に対応する断面図である。
【符号の説明】
【００３０】
１    エッジスイッチ
２    収納空間
２ａ  端部空間
３ａ  係合脚部
４    収納基体部
４ａ  受溝
５ａ  支持脚
６    スイッチ用テーブル部
７    アクチェータ板
８    被覆体
９ａ  係合突片
１０    保持体
１１    外装体
２０    長尺スイッチ
２１    感知部
２２    端部封止体
２３    電極板
２４    電極板
２５    外周被覆材
Ｆ    加重
【図１】
0003128637.tif 000003
【図２】
0003128637.tif 000004
【図３】
0003128637.tif 000005
【図４】
0003128637.tif 000006
【図５】
0003128637.tif 000007
【図６】
0003128637.tif 000008
【図７】
0003128637.tif 000009